(57)【要約】【課題】異なる梁せいの梁を用いつつも、床の敷設を可及的単純化することができる床支持構造を提供する。【解決手段】基準梁３０Ｂに対しては上端面３０ａ上に床スラブ１０Ａ，１０Ｂを支持させると共に、梁３０Ａ，３０Ｃに対しては高さ調整部材６０，７０を介して床スラブ１０Ａ，１０Ｂを支持させることができる。これによって、当該床スラブ１０Ａ，１０Ｂを水平とした状態で支持するものとしているので、梁せいの異なる梁３０Ａ，３０Ｂ，３０Ｃを採用するにも関わらず、床スラブ１０Ａ，１０Ｂは、いずれの床スラブ１０Ａ、１０Ｂであっても同一高さに敷設することができるものとなっている。また、異なる梁せいの梁３０Ａ，３０Ｂ，３０Ｃを採用するにも関わらず、それによる居室の高さの変化を考慮することなく設計を行うことができるものとなっている。【選択図】図３
2013245535.tif 000002
【特許請求の範囲】
【請求項１】
板状の床スラブと、
前記床スラブを支持する異なる梁せいで形成された一対の梁と、を備え、
一方の梁の上端面に前記床スラブの一方の端部が支持され、
当該一方の梁とは梁せいを異にする他方の梁は、その下端面を前記一方の梁の下端面と同じ高さ位置として設けられると共に、前記床スラブを水平とした状態で当該床スラブの他方の端部を支持する高さ調整部材が取り付けられている
ことを特徴とする床支持構造。
【請求項２】
前記他方の梁は前記一方の梁よりも梁せいを大として形成されており、
前記高さ調整部材は、前記床スラブを前記他方の梁の側部で受ける受け金物として当該他方の梁の側部に固着されており、
前記床スラブは、前記一方の梁の上端面と前記他方の梁の受け金物との間に架設されている
ことを特徴とする請求項１に記載の床支持構造。
【請求項３】
前記他方の梁は前記一方の梁よりも梁せいを小として形成されており、
前記高さ調整部材は、前記床スラブを前記他方の梁の上方で受ける受け金物として当該他方の梁の上端部に固着されており、
前記床スラブは、前記一方の梁の上端面と前記他方の梁の受け金物との間に架設されている
ことを特徴とする請求項１に記載の床支持構造。
【請求項４】
各梁には、下端面からの高さを同じくする位置に当該梁の側面を貫通する配管孔が設けられている
ことを特徴とする請求項１〜３のいずれか一項に記載の床支持構造。
【発明の詳細な説明】
【技術分野】
【０００１】
本発明は、住宅等の建物の床支持構造に関する。
【背景技術】
【０００２】
部材断面の種類を限定されたものとすることで量産化を実現する所謂「システム住宅（組立住宅、プレファブ住宅）」では、必要性能に応じて梁断面を設定するとしても、コストや納まりの面からせいぜい数種類しか設定することができないという制約があり、一般的には梁のウエブやフランジの肉厚を変えたバリエーションをもつのが普通である。同じ重量で性能を向上したい場合、最も効率が良いのは梁のせいを高くすることである。
【０００３】
また、梁の上には床を敷設する構成を採用するのが一般的であり、このため、各梁の上フランジの高さ位置を揃える工法が採用されている。一方で、例えば特許文献１に開示の構成の如く、状況に応じて梁の下端面の高さ位置を一致させる構成も知られている。
【先行技術文献】
【特許文献】
【０００４】
【特許文献１】実開昭６０−１７０４０２号公報
【発明の概要】
【発明が解決しようとする課題】
【０００５】
しかしながら、上記特許文献１の構成においては、梁の下端面を揃える構成は開示されているものの、床との取り合いについての開示はなく、床の敷設の収まりが複雑なものとなる虞がある。
【０００６】
本発明は、このような課題を解決するためになされたものであり、異なる梁せいの梁を用いつつも、床の敷設を可及的単純化することができる床支持構造を提供することを目的とする。
【課題を解決するための手段】
【０００７】
本発明に係る床支持構造は、板状の床スラブと、床スラブを支持する異なる梁せいで形成された一対の梁と、を備え、一方の梁の上端面に床スラブの一方の端部が支持され、当該一方の梁とは梁せいを異にする他方の梁は、その下端面を一方の梁の下端面と同じ高さ位置として設けられると共に、床スラブを水平とした状態で当該床スラブの他方の端部を支持する高さ調整部材が取り付けられていることを特徴とする。
【０００８】
本発明に係る床支持構造によれば、建物の架構として梁せいの異なる梁を用いるにも関わらず、基準となる梁を規定し、当該梁とは異なる梁せいを有する梁との間で床スラブを支持する場合には、基準となる一方の梁に対しては上端面上に床スラブを支持させると共に、他方の梁に対しては高さ調整部材を介して床スラブを支持させることができる。これによって、当該床スラブを水平とした状態で支持するものとしているので、梁せいの異なる梁を採用するにも関わらず、床スラブは、いずれの床スラブであっても同一高さに敷設することができるものとなっている。また、異なる梁せいの梁を採用するにも関わらず、それによる居室の高さの変化を考慮することなく設計を行うことができるものとなっている。また、これら異なる梁せいを有する構成とするものの、梁の下端面の高さを同一の高さ位置に設定する構成を採用しているため、天井懐の高さを当該基準となる一方の梁の梁せい程度に設定することができ、天井懐の大きさも一定とした設計を行うことができるものとなっている。以上によって、異なる梁せいの梁を用いつつも、床の敷設を可及的単純化することができる。
【０００９】
また、本発明に係る床支持構造において、他方の梁は一方の梁よりも梁せいを大として形成されており、高さ調整部材は、床スラブを他方の梁の側部で受ける受け金物として当該他方の梁の側部に固着されており、床スラブは、一方の梁の上端面と他方の梁の受け金物との間に架設されていることが好ましい。これによれば、梁せいを大とした梁を用いるにも拘らず、天井懐の高さを基準となる梁の梁せい程度に抑えることができ、その分だけ当該床支持構造の下方の居室の天井高を高く設計することができる。或いは、天井懐の短小化に伴い建物全体としての高さを低く抑えることができるものとなる。
【００１０】
また、本発明に係る床支持構造において、他方の梁は一方の梁よりも梁せいを小として形成されており、高さ調整部材は、床スラブを他方の梁の上方で受ける受け金物として当該他方の梁の上端部に固着されており、床スラブは、一方の梁の上端面と他方の梁の受け金物との間に架設されていることが好ましい。これによれば、梁せいを小とした梁を用いるにも拘らず、天井懐の高さを基準となる梁の梁せい程度とすることができる。これにより、配管などを設置するスペースを十分に確保することができる。
【００１１】
また、本発明に係る床支持構造において、各梁には、下端面からの高さを同じくする位置に当該梁の側面を貫通する配管孔が設けられていることが好ましい。これによれば、配管孔に配管を挿通することで、当該配管を水平方向に延在させて設置することができ、配管の設計や設置が容易となる。また、各梁の下端面が同一高さに位置しているため、一の梁の下端面の高さ位置が丁度当該配管の高さ位置に一致することとなって当該配管の高さ位置を変更する等の設計の煩雑さも解消され、配管設計の自由度も向上し、ひいては配管の全長の短小化を図ることができるものとなっている。
【発明の効果】
【００１２】
本発明によれば、異なる梁せいの梁を用いつつも、床の敷設を可及的単純化することができる。
【図面の簡単な説明】
【００１３】
【図１】本発明の実施形態に係る床支持構造が適用される建物の斜視図である。
【図２】図１の建物の２階部分を示す断面図である。
【図３】本発明の実施形態に係る床支持構造の断面図である。
【図４】変形例に係る床支持構造の断面図である。
【図５】変形例に係る床支持構造の断面図である。
【図６】比較例に係る床支持構造の断面図である。
【発明を実施するための形態】
【００１４】
以下、本発明の好適な実施形態について図面を参照しながら説明する。
【００１５】
（建物の全体構成）
図１及び図２に示されるように、本発明の実施形態に係る床構造が適用される建物１は、３階建ての住宅建物であって、梁３Ａ，３Ｂと柱４とからなる構造躯体２（図２参照）と、これら梁３Ａ，３Ｂや柱４等に支持されて各階の床を形成する各階床部５Ａ，５Ｂ，５Ｃと、梁３Ａ，３Ｂや柱４等に支持されて建物１の屋根を形成する屋根部６と、同じく梁３Ａ，３Ｂや柱４等に支持されて建物１の外皮を形成する外壁８とを備えている。なお、本実施形態に係る建物１では、適宜箇所に小梁３Ｚが設けられている箇所がある。
【００１６】
構造躯体２は、基礎から立ち上がる複数本（本実施形態においては８本）の柱４と、隣り合う柱４間に架設される複数本の梁３Ａ，３Ｂとを備えてなるいわゆるラーメン構造を構成している。
【００１７】
本実施形態に係る柱４は、建物１の１階下部から３階上部に亘って延設されており、各階を形成すべく所定高さに設定された梁接合部と、端部から梁接合部までを連絡する長尺状の部位、及び上下の各梁接合部間を連絡する長尺状の部位からなる一般部とを備えている。一般部は、公知の角形鋼管により形成されている。また、梁接合部は、梁３Ａ，３Ｂのせい（梁３Ａ，３Ｂの下端から上端までの高さ）と同程度の高さを有して四角筒状に形成されている。
【００１８】
梁３Ａ，３Ｂは、上下一対のフランジの中央部分をウェブにて連結してなるＨ型鋼により形成された梁本体と、梁本体の両端部に接合されて柱４の梁接合部に面接触するエンドプレートとを備えている。梁３Ａ，３Ｂは、エンドプレートが梁接合部に面接触して適宜にボルト結合される。
【００１９】
１階の床部５Ａは、所定寸法に形成される軽量気泡コンクリート（ＡＬＣ）製の複数枚の床スラブを基礎上に敷き並べて形成される。また、２階、及び３階の床部５Ｂ，５Ｃは、所定寸法に形成される軽量気泡コンクリート製の複数枚の床スラブ５ａと、これら複数枚の床スラブ５ａを構造力学的に一体化させる公知の剛床機構とを備えており、複数枚の床スラブ５ａは適宜に梁３Ａ，３Ｂに支持されている。
【００２０】
屋根部６（図１参照）は、所定寸法に形成される軽量気泡コンクリート製の複数枚の屋根パネル６ａを備えている。また、屋根部６としては、水平に屋根パネル６ａを敷設してなる陸屋根部６Ａと、陸屋根部６Ａと建物１の外壁８とを連結する傾斜屋根部６Ｂとの二種類の態様が設けられている。
【００２１】
外壁８は、一般に所定寸法に形成された軽量気泡コンクリート製の複数枚の外壁パネル９Ａ，９Ｂによって形成され、各外壁パネル９Ａ，９Ｂは、いわゆるロッキング工法（「ロッキング機構」ともいう）により上下両端部が梁３Ａ，３Ｂに、または梁３Ａ，３Ｂと基礎とに保持されている。また、外壁パネル９Ａ，９Ｂの内側には断熱材が沿設されており、断熱材の内側には内装材を支持する内装下地が設けられている。
【００２２】
次に、本発明の実施形態に係る床支持構造１００について詳細に説明する。この床支持構造１００は、上述の建物１においては、例えば、二階または三階の床に対して適用される。図３に示すように、床支持構造１００は、板状の床スラブ１０Ａ，１０Ｂによって形成される床部２０と、当該床スラブ１０Ａ，１０Ｂを支持する梁３０Ａ，３０Ｂ，３０Ｃと、梁３０Ａ，３０Ｂ，３０Ｃの下側に設けられる天井部５０と、を備えている。床支持構造１００の梁３０Ａ，３０Ｂ，３０Ｃは、異なる梁せいで形成された梁である。このように異なる梁せいの梁で構成される床支持構造１００は、例えば、同じフロア内において、高い構造強度を確保したい領域と高い構造強度が要求されない領域が隣接する場合に適用される。すなわち、高い構造強度を確保する領域には大きい梁せいの梁を適用することで梁の強度を高くし、高い強度が要求されない領域には小さい梁せいの梁を適用することで部材の重量を軽くすることができる。
【００２３】
梁３０Ａ，３０Ｂ，３０Ｃは、上下一対のフランジ３１，３２をウェブ３３で連結してなるＨ形鋼として形成されている。図においては、紙面左右方向における左側から右側に向かって梁３０Ａ、梁３０Ｂ、梁３０Ｃの順番で互いに所定の間隔を空けて配置されている。梁３０Ａ，３０Ｂ，３０Ｃは、柱（図１〜３における柱４）間に架設されている。あるいは、梁３０Ａ，３０Ｂ，３０Ｃは、他の梁間に架設されていてもよい。梁３０Ａは、中央の梁３０Ｂよりも梁せいを小として形成されている。梁３０Ｃは、中央の梁３０Ｂよりも梁せいを大として形成されている。なお、梁せいは、梁３０Ａ，３０Ｂ，３０Ｃの上端面３０ａ（上フランジ３１の上面に該当）と、下端面３０ｂ（下フランジ３２の下面に該当）との間の寸法によって規定される。例えば、梁３０Ｂとして、建物１に対して適用される標準寸法の梁を適用し、梁３０Ａとして、標準寸法に係る梁よりも梁せいの小さい梁を適用し、梁３０Ｃとして、標準寸法に係る梁よりも梁せいの大きい梁を適用することができる。梁３０Ａ，３０Ｂ，３０Ｃのうち、中央の梁３０Ｂを基準となる梁として規定することができる。以下の説明においては、梁３０Ｂを「基準梁３０Ｂ」と称して説明する。
【００２４】
梁３０Ａは、その下端面３０ｂを基準梁３０Ｂの下端面３０ｂと同じ高さ位置として、架設されている。梁３０Ａの上端面３０ａは、基準梁３０Ｂの上端面３０ａよりも低い位置に配置される。梁３０Ｃは、その下端面３０ｂを基準梁３０Ｂの下端面３０ｂと同じ高さ位置として、架設されている。梁３０Ｃの上端面３０ａは、基準梁３０Ｂの上端面３０ａよりも高い位置に配置されている。
【００２５】
同一の高さ位置に設定された梁３０Ａの下端面３０ｂ、基準梁３０Ｂの下端面３０ｂ、及び梁３０Ｃの下端面３０ｂに対して天井部５０が設けられている。天井部５０は、天井吊金物５１、天井下地５２、及び天井５３で構成されている。具体的には、各梁３０Ａ，３０Ｂ，３０Ｃの下端面３０ｂに天井吊金物５１が設けられ、当該天井吊金物５１の下面に天井下地５２が設けられ、当該天井下地５２の下面に天井５３が形成される。各梁３０Ａ，３０Ｂ，３０Ｃの下端面３０ｂが同一の高さ位置に設定されているため、各梁に同一規格の天井吊金物５１及び天井下地５２を取り付けることで当該天井下地５２の下端面は同一の高さ位置となり、当該天井下地５２の下端面に固定される天井部５０は、水平な状態となる。
【００２６】
梁３０Ａ，３０Ｂ，３０Ｃの上側には、床部２０が設けられている。床部２０は、床スラブ１０Ａ，１０Ｂと、当該床スラブ１０Ａ，１０Ｂの周りに充填される充填材２１，２２，２３によって構成される。具体的には、梁３０Ａと基準梁３０Ｂとの間に床スラブ１０Ａが水平に架設され、基準梁３０Ｂと梁３０Ｃとの間に床スラブ１０Ｂが架設される。基準梁３０Ｂとは梁せいを異にする梁３０Ａ，３０Ｃには、床スラブ１０Ａ，１０Ｂを水平とした状態で当該床スラブ１０Ａ，１０Ｂを支持する高さ調整部材６０，７０がそれぞれ取り付けられている。これにより、床スラブ１０Ａは、基準梁３０Ｂの上端面３０ａで側縁部１０ｃ側の一方の端部を支持され、梁３０Ａに取り付けられた高さ調整部材６０で側縁部１０ｄ側の他方の端部を支持される。床スラブ１０Ｂは、基準梁３０Ｂの上端面３０ａで側縁部１０ｃ側の一方の端部を支持され、梁３０Ｃに取り付けられた高さ調整部材７０で側縁部１０ｄ側の他方の端部を支持される。
【００２７】
基準梁３０Ｂよりも梁せいを小として形成されている梁３０Ａに取り付けられた高さ調整部材６０は、床スラブ１０Ａを梁３０Ａの上方で受ける受け金物６１として当該梁３０Ａの上端面（上端部）３０ａに固着されている。受け金物６１は、断面矩形状を有して梁３０Ａの延在方向に沿って延びる金物である。受け金物６１は、梁３０Ａの上フランジ３１のうちの基準梁３０Ｂ側に突出する部分に設けられている。受け金物６１の下端面６１ｂを梁３０Ａの上端面３０ａ（上フランジ３１の上面）に載置した状態では、受け金物６１の上端面６１ａの高さ位置は、梁３０Ａの上端面３０ａの高さ位置よりも高く、基準梁３０Ｂの上端面３０ａの高さ位置と同一に設定される。このような構成により、床スラブ１０Ａは、一方の端部の下面１０ｂが基準梁３０Ｂの上端面３０ａ（上フランジ３１の梁３０Ａ側に突出する部分）に載置され、他方の端部の下面１０ｂが梁３０Ａに取り付けられた受け金物６１の上端面６１ａに載置される。これにより、床スラブ１０Ａは、梁３０Ａの受け金物６１と基準梁３０Ｂとの間に水平な状態で架設される。
【００２８】
基準梁３０Ｂよりも梁せいを大として形成されている梁３０Ｃに取り付けられた高さ調整部材７０は、床スラブ１０Ｂを梁３０Ｃの側部３３ａで受ける受け金物７１として当該梁３０Ｃの側部３３ａに固着されている。受け金物７１は、梁３０Ｃのウェブ３３の側部のうち基準梁３０Ｂと対向する側の側部３３ａに設けられている。受け金物７１は、床スラブ１０Ｂを受ける受け部７２と、当該受け部７２を支持して梁３０Ｃのウェブ３３に固着される支持部７３と、を備えている。受け部７２は、支持部７３の上端部で支持される断面Ｌ字状の金属部材であり、梁３０Ｃの延在方向に沿って延びている。受け部７２は、梁３０Ｃの上フランジ３１の基準梁３０Ｂ側の端縁３１ａよりも基準梁３０Ｂ側において水平に広がり床スラブ１０Ｂの下面を支持する下面支持部７４と、当該下面支持部７４から垂直に立ち上がり床スラブ１０Ｂの側面を支持する側面支持部７６と、を備えている。当該側面支持部７６は、梁３０Ｃの上フランジ３１の端縁３１ａと略同位置にて立ち上がっている。受け金物７１の支持部７３を梁３０Ｃの側部３３ａに固着した状態では、受け部７２の下面支持部７４の上面７４ａの高さ位置は、梁３０Ｃの上端面３０ａの高さ位置よりも低く、基準梁３０Ｂの上端面３０ａの高さ位置と同一に設定される。このような構成により、床スラブ１０Ｂは、一方の端部の下面１０ｂが基準梁３０Ｂの上端面３０ａ（上フランジ３１の梁３０Ｃ側に突出する部分）に載置され、他方の端部の下面１０ｂが梁３０Ｃに取り付けられた受け金物７１の下面支持部７４の上面７４ａに載置される。これにより、床スラブ１０Ｂは、梁３０Ｃの受け金物７１と基準梁３０Ｂとの間に水平な状態で架設される。
【００２９】
梁３０Ａの上端面３０ａの上側においては、床スラブ１０Ａの側縁部１０ｃ及び受け金物６１の側面を覆うように充填材２１が充填されている。また、基準梁３０Ｂの上端面３０ａの上側においては、床スラブ１０Ａの側縁部１０ｄと床スラブ１０Ｂの側縁部１０ｄとの間に、充填材２２が充填されている。また、梁３０Ｃの上端面３０ａの上側においては、当該上端面３０ａ上に充填材２３が充填されると共に、床スラブ１０Ｂの側縁部１０ｃと側面支持部７６（及び梁３０Ｃの上フランジ３１の端縁３１ａ）との間に充填材２３が充填される。
【００３０】
次に、本実施形態に係る床支持構造１００の作用・効果について説明する。
【００３１】
本実施形態に係る床支持構造１００によれば、建物１の架構として梁せいの異なる梁３０Ａ，３０Ｂ，３０Ｃを用いるにも関わらず、基準となる梁（本実施形態では梁３０Ｂ）を規定し、当該基準梁３０Ｂとは異なる梁せいを有する梁３０Ａ，３０Ｃとの間で床スラブ１０Ａ，１０Ｂを支持する場合には、基準梁３０Ｂに対しては上端面３０ａ上に床スラブ１０Ａ，１０Ｂを支持させると共に、梁３０Ａ，３０Ｃに対しては高さ調整部材６０，７０を介して床スラブ１０Ａ，１０Ｂを支持させることができる。これによって、当該床スラブ１０Ａ，１０Ｂを水平とした状態で支持するものとしているので、梁せいの異なる梁３０Ａ，３０Ｂ，３０Ｃを採用するにも関わらず、床スラブ１０Ａ，１０Ｂは、いずれの床スラブ１０Ａ、１０Ｂであっても同一高さに敷設することができるものとなっている。また、異なる梁せいの梁３０Ａ，３０Ｂ，３０Ｃを採用するにも関わらず、それによる居室の高さの変化を考慮することなく設計を行うことができるものとなっている。また、これら異なる梁せいを有する構成とするものの、梁３０Ａ，３０Ｂ，３０Ｃの下端面３０ｂの高さを同一の高さ位置に設定する構成を採用しているため、天井懐の高さ（本実施形態では、天井下地５２の上面と床スラブ１０Ａ，１０Ｂの下面との間を天井懐とし、当該天井懐の高さは、図３においてＨで示している寸法となるものとする）を当該基準となる基準梁３０Ｂの梁せい程度に設定することができ、天井懐の大きさも一定とした設計を行うことができるものとなっている。以上によって、異なる梁せいの梁３０Ａ，３０Ｂ，３０Ｃを用いつつも、床の敷設を可及的単純化することができる。
【００３２】
また、梁せいの異なる梁３０Ａ，３０Ｂ，３０Ｃの下端面３０ｂを同一高さに設定することにより、天井の下地構成の懸架長さを同一にすることができるため、部材の共通化を図ることができる。また、地震時の振動の共通化を図ることができる。すなわち、図６に示すように、梁３０Ａ，３０Ｂ，３０Ｃの下端面３０ｂの高さ位置が同一でない場合、懸架長さが異なる下地構成となる。この場合、天井部５０に水平方向の荷重が作用したときに、梁３０Ａ，３０Ｂ，３０Ｃごとに懸架長さが異なることにより固有周期が異なり、一様に振動せず、局部破壊等を生じる虞がある。一方、本実施形態によれば、梁せいの異なる梁３０Ａ，３０Ｂ，３０Ｃの下端面３０ｂが同一高さに設定されているため、図６の構成のような振動が生じることを抑制し、局部破壊等を抑制することができる。
【００３３】
また、天井下地５２を介して各梁に支持される天井部５０も、同一規格の天井吊金物５１及び天井下地５２を介して各梁に支持されることなり、地震時等振動が発生する場合であっても、部位（領域）に関わらずいずれの天井部５０の固有周期も同一となり、これによって、天井部５０は一様に振動して局部破壊を回避することができるものとなっている。
【００３４】
また、本実施形態に係る床支持構造１００において、梁３０Ｃは基準梁３０Ｂよりも梁せいを大として形成されており、高さ調整部材７０は、床スラブ１０Ｂを梁３０Ｃの側部３３ａで受ける受け金物７１として当該梁３０Ｃの側部３３ａに固着されている。これにより、床スラブ１０Ｂは、梁３０Ｂの上端面３０ａと梁３０Ｃの受け金物７１との間に架設されている。これによれば、梁せいを大とした梁３０Ｃを用いるにも拘らず、天井懐の高さを基準となる基準梁３０Ｂの梁せい程度に抑えることができ、その分だけ当該床支持構造１００の下方の居室の天井高を高く設計することができる。或いは、天井懐の短小化に伴い建物１全体としての高さを低く抑えることができるものとなる。
【００３５】
また、受け金物７１の受け部７２は、床スラブ１０Ｂの下面１０ｂを支持する下面支持部７４と、床スラブ１０Ｂの側縁部１０ｃ（側面に該当）を支持する側面支持部７６と、を備えている。従って、床スラブ１０Ｂの水平移動を側面支持部７６及び梁３０Ｃの上フランジ３０Ｃの端縁３１ａで支持することにより拘束することができる。これにより、床部２０の剛性を向上することができる。
【００３６】
また、本実施形態に係る床支持構造１００において、梁３０Ａは基準梁３０Ｂよりも梁せいを小として形成されており、高さ調整部材６０は、床スラブ１０Ａを梁３０Ａの上方で受ける受け金物６１として当該梁３０Ａの上端面３０ａに固着されている。床スラブ１０Ａは、基準梁３０Ｂの上端面３０ａと梁３０Ａの受け金物６１との間に架設されている。これによれば、梁せいを小とした梁３０Ａを用いるにも拘らず、天井懐の高さを基準梁３０Ｂ程度とすることができる。これにより、配管などを設置するスペースを十分に確保することができる。
【００３７】
本発明は、上述の実施形態に限定されるものではない。
【００３８】
上述の実施形態では、梁せいの異なる梁を有する床支持構造の一例を示したが、梁の順序や種類や本数は特に限定されない。例えば、基準梁と、当該基準梁よりも梁せいを小とした梁のみを有していてもよい。あるいは、基準梁と、当該基準梁よりも梁せいを大とした梁のみを有していてもよい。例えば、図４に示すような床支持構造２００を採用してもよい。床支持構造２００では、梁３０Ａとして、基準梁３０Ｂと同じ梁せいの梁が適用されており、梁３０Ａも基準梁となっている。これによって、床スラブ１０Ａは両端部が各基準梁３０Ａ，３０Ｂの上端面３０ａで支持され、床スラブ１０Ｂは一方の端部が基準梁３０Ｂの上端面３０ａで支持され、他方の端部が梁せいの高い梁３０Ｃに固着された高さ調整部材６０で支持される。
【００３９】
また、図５に示すように、各梁３０Ａ，３０Ｂ，３０Ｃに、下端面３０ｂからの高さを同じくする位置に当該梁３０Ａ，３０Ｂ，３０Ｃのウェブ３３を貫通する配管孔３５が設けられていてもよい。各梁３０Ａ，３０Ｂ，３０Ｃの配管孔３５を通過する空間ＳＰに配管等が配置される。これによれば、配管孔３５に配管を挿通することで、当該配管を水平方向に延在させて設置することができ、配管の設計や設置が容易となる。また、図６のように各梁３０Ａ，３０Ｂ，３０Ｃの下端面３０ｂの高さが同一でない場合、一の梁の下端面３０ｂが配管の高さ位置に一致する場合がある。例えば、梁３０Ｃを通過させる配管３５´が、梁３０Ｂの下フランジと干渉してしまうため、当該干渉を避けるために、配管の高さ位置を変更するなどの煩雑な設計が必要となる。一方、図５の実施形態では、各梁３０Ａ，３０Ｂ，３０Ｃの下端面３０ｂが同一高さに位置しているため、このような設計の煩雑さも解消され、配管設計の自由度も向上し、ひいては配管の全長の短小化を図ることができるものとなっている。
【符号の説明】
【００４０】
１０Ａ，１０Ｂ…床スラブ、３０Ａ，３０Ｂ，３０Ｃ…梁、３５…配管孔、６０，７０…高さ調整部材、６１，７１…受け金物、１００…床支持構造。
【図１】
2013245535.tif 000003
【図２】
2013245535.tif 000004
【図３】
2013245535.tif 000005
【図４】
2013245535.tif 000006
【図５】
2013245535.tif 000007
【図６】
2013245535.tif 000008